【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
記録動作を行う記録ヘッドと、
前記記録ヘッドを搭載して往復移動するキャリッジと、
前記記録動作を行うための電圧を前記記録ヘッドに供給する供給手段と、
前記記録ヘッドと前記供給手段とを接続する電力ラインと、
前記電力ラインにおける電圧を監視するモニタ手段と、
前記供給手段が電圧を供給したときに前記モニタ手段によって監視された電圧を検知する検知動作を実行する制御手段と、を備える記録装置であって、
前記制御手段は前記キャリッジが反転するときに前記検知動作を実行することを特徴とする記録装置。
【請求項２】
記録媒体に対して記録動作を行う記録ヘッドと、
前記記録ヘッドと対向する位置に記録媒体を搬送する搬送手段と、
前記搬送手段によって搬送される記録媒体のジャムの発生を検知するセンサと、
前記記録動作を行うための電圧を前記記録ヘッドに供給する供給手段と、
前記記録ヘッドと前記供給手段とを接続する電力ラインと、
前記電力ラインにおける電圧を監視するモニタ手段と、
前記供給手段が電圧を供給したときに前記モニタ手段によって監視された電圧を検知する検知動作を実行する制御手段と、を備える記録装置であって、
前記制御手段は前記センサによってジャムが検知されたときに前記検知動作を実行することを特徴とする記録装置。
【請求項３】
記録動作を行う記録ヘッドと、
前記記録ヘッドを着脱可能に搭載するキャリッジと、
前記記録動作を行うための電圧を前記記録ヘッドに供給する供給手段と、
前記記録ヘッドと前記供給手段とを接続する電力ラインと、
前記電力ラインにおける電圧を監視するモニタ手段と、
前記供給手段が電圧を供給したときに前記モニタ手段によって監視された電圧を検知する検知動作を実行する制御手段と、を備える記録装置であって、
前記制御手段は前記記録ヘッドが前記キャリッジに装着されたときに前記検知動作を実行することを特徴とする記録装置。
【請求項４】
記録動作を行う記録ヘッドと、
前記記録動作のクリーニング動作を行う回復手段と、
前記記録動作を行うための電圧を前記記録ヘッドに供給する供給手段と、
前記記録ヘッドと前記供給手段とを接続する電力ラインと、
前記電力ラインにおける電圧を監視するモニタ手段と、
前記供給手段が電圧を供給したときに前記モニタ手段によって監視された電圧を検知する検知動作を実行する制御手段と、を備える記録装置であって、
前記制御手段は前記クリーニング動作の前後に検知動作を実行することを特徴とする記録装置。
【請求項５】
前記記録ヘッドはインクを吐出するノズルが配されたノズル面を有し、
前記回復手段は前記ノズル面に対してワイピング動作を行うワイパを備え、
前記制御手段は前記ワイピング動作の後に前記検知動作を行うことを特徴とする請求項４に記載の記録装置。
【請求項６】
前記記録ヘッドからのインクの吐出状態を検出する検出手段をさらに備え、
前記制御手段は前記検出手段によって吐出状態が不良であることを検出した後に前記検知動作を行うことを特徴とする請求項４又は５に記載の記録装置。
【請求項７】
前記供給手段は、前記記録動作のために第１の電圧を供給し、前記検知動作のために前記第１の電圧より低い第２の電圧を供給することを特徴とする請求項１乃至６のいずれか１項に記載の記録装置。
【請求項８】
前記電力ラインは、コンデンサが並列に接続され前記記録動作のために前記供給手段によって電圧が供給される第１の電力ラインと、前記検知動作のために前記供給手段によって電圧が供給される第２の電力ラインと、を有することを特徴とする請求項１乃至７のいずれか１項に記載の記録装置。
【請求項９】
前記制御手段は、前記モニタ手段によって監視された電圧が予め定められた閾値より小さい場合に電流リークが発生していると判断することを特徴とする請求項１乃至８のいずれか１項に記載の記録装置。
【請求項１０】
前記制御手段によって電流リークが発生していると判断された場合に、電流リークが発生した旨を表示する表示手段をさらに備えることを特徴とする請求項９に記載の記録装置。
【請求項１１】
記録動作を行う記録ヘッドと、前記記録ヘッドを搭載して往復移動するキャリッジと、前記記録動作を行うための電圧を前記記録ヘッドに供給する供給手段と、を備える記録装置の検知方法であって、
前記キャリッジが反転するタイミングで前記供給手段が電圧を供給する供給工程と、
前記供給工程によって前記記録ヘッドと前記供給手段とを接続する電力ラインに現れる電圧を監視するモニタ工程と、
前記モニタ工程によって監視された電圧を検知する検知工程と、を備えることを特徴とする検知方法。
【手続補正２】
【補正対象書類名】明細書
【補正対象項目名】発明の名称
【補正方法】変更
【補正の内容】
【発明の名称】記録装置及びその検知方法
【手続補正３】
【補正対象書類名】明細書
【補正対象項目名】０００１
【補正方法】変更
【補正の内容】
【０００１】
本発明は記録装置及びその検知方法に関し、特に、キャリッジに記録ヘッドを装着し、キャリッジを往復移動させながらその記録ヘッドにより記録を行う記録装置及びその検知方法に関する。
【手続補正４】
【補正対象書類名】明細書
【補正対象項目名】０００６
【補正方法】変更
【補正の内容】
【０００６】
本発明は上記従来例に鑑みてなされたもので、高速で安全で、かつ、適切なタイミングで記録ヘッドのリーク検知を行うことが可能な記録装置及びその検知方法を提供することを目的としている。
【手続補正５】
【補正対象書類名】明細書
【補正対象項目名】０００８
【補正方法】変更
【補正の内容】
【０００８】
即ち、記録動作を行う記録ヘッドと、前記記録ヘッドを搭載して往復移動するキャリッジと、前記記録動作を行うための電圧を前記記録ヘッドに供給する供給手段と、前記記録ヘッドと前記供給手段とを接続する電力ラインと、前記電力ラインにおける電圧を監視するモニタ手段と、前記供給手段が電圧を供給したときに前記モニタ手段によって監視された電圧を検知する検知動作を実行する制御手段と、を備える記録装置であって、前記制御手段は前記キャリッジが反転するときに前記検知動作を実行することを特徴とする。
また、その記録装置は、記録媒体に対して記録動作を行う記録ヘッドと、前記記録ヘッドと対向する位置に記録媒体を搬送する搬送手段と、前記搬送手段によって搬送される記録媒体のジャムの発生を検知するセンサと、前記記録動作を行うための電圧を前記記録ヘッドに供給する供給手段と、前記記録ヘッドと前記供給手段とを接続する電力ラインと、前記電力ラインにおける電圧を監視するモニタ手段と、前記供給手段が電圧を供給したときに前記モニタ手段によって監視された電圧を検知する検知動作を実行する制御手段と、を備える記録装置であって、前記制御手段は前記センサによってジャムが検知されたときに前記検知動作を実行することを特徴としても良い。
さらに、その記録装置は、記録動作を行う記録ヘッドと、前記記録ヘッドを着脱可能に搭載するキャリッジと、前記記録動作を行うための電圧を前記記録ヘッドに供給する供給手段と、前記記録ヘッドと前記供給手段とを接続する電力ラインと、前記電力ラインにおける電圧を監視するモニタ手段と、前記供給手段が電圧を供給したときに前記モニタ手段によって監視された電圧を検知する検知動作を実行する制御手段と、を備える記録装置であって、前記制御手段は前記記録ヘッドが前記キャリッジに装着されたときに前記検知動作を実行することを特徴としても良い。
またさらに、その記録装置は、記録動作を行う記録ヘッドと、前記記録動作のクリーニング動作を行う回復手段と、前記記録動作を行うための電圧を前記記録ヘッドに供給する供給手段と、前記記録ヘッドと前記供給手段とを接続する電力ラインと、前記電力ラインにおける電圧を監視するモニタ手段と、前記供給手段が電圧を供給したときに前記モニタ手段によって監視された電圧を検知する検知動作を実行する制御手段と、を備える記録装置であって、前記制御手段は前記クリーニング動作の前後に検知動作を実行することを特徴としても良い。
【手続補正６】
【補正対象書類名】明細書
【補正対象項目名】０００９
【補正方法】変更
【補正の内容】
【０００９】
また本発明を他の側面から見れば、記録動作を行う記録ヘッドと、前記記録ヘッドを搭載して往復移動するキャリッジと、前記記録動作を行うための電圧を前記記録ヘッドに供給する供給手段と、を備える記録装置の検知方法であって、前記キャリッジが反転するタイミングで前記供給手段が電圧を供給する供給工程と、前記供給工程によって前記記録ヘッドと前記供給手段とを接続する電力ラインに現れる電圧を監視するモニタ工程と、前記モニタ工程によって監視された電圧を検知する検知工程と、を備えることを特徴とする検知方法を備える。